(57)【要約】【課題】ドアに透設したドリル孔からバー状開錠具を挿入して室内側のサムターンの摘みを回転する不正開錠を防止する。【解決手段】室内側サムターンＡ側のインナー軸３と先端側のアウター軸８とを回転自在に嵌合するとともにインナー軸３に設置したコイルスプリング６の腕７をアウター軸８の軸廻り方向に形成した１／４円程度のスリット９に移動自在とするとともにその端部に対して引掛け係合自在とすることによって，上記腕７が１／４円程度のスリット９の移動区間にあるときサムターンＡの摘み１を空転し，スリット９の端部に引掛け係合して回転したとき施錠を可能とする。バー状開錠具によって摘み１を一方向に押圧しても摘み１が空転して開錠が不能となる。【選択図】        図２
2004197470.tif 000002
【特許請求の範囲】
【請求項１】
錠前の室内側サムターンを，その施錠の基準位置から１／２円程度の回転操作によって施開錠自在とするとともに上記基準位置から先行する１／４円程度の回転範囲を空転領域とし，後続する１／４円程度の回転範囲を施開錠領域としてなることを特徴とする防犯用サムターンを有する錠前。
【請求項２】
上記室内側サムターンを，可動ロック部材によって施錠の基準位置において回転阻止自在としてなることを特徴とする請求項１に記載の防犯用サムターンを有する錠前。
【発明の詳細な説明】
【０００１】
【発明の属する技術分野】
本発明はドア等の建具に使用する錠前に関し，特に防犯用サムターンを有する錠前に関する。
【０００２】
【従来の技術】
いわゆるピッキングやカム送りといった不正開錠の防止措置が採用されるに応じて，最近ではドアスコープを取り外したり，ドアにドリル孔を設置したり，採光窓のガラスを破損したりすることによって形成した透孔からＬ字状のバー状開錠具を挿入し，その先端で室内側のサムターンの摘みを押圧回転することによって錠前を不正に開錠する侵入犯行為が出没するに至っており，このため，特許文献１に示すように，室内側サムターンに代えて，室内側にも室外側と同様な施開錠用のキーを設置し，室内側の施錠後に該キーを抜取って保管し，開錠時に該キーを用いて錠前の操作を行なうことによって，押圧回転の対象となる室内側サムターンを設置しないようにしたものが提案されている。
【０００３】
【特許文献１】
特開平１１−９３４８２号公報（［００２１］欄，図２参照）
【０００４】
【発明が解決しようとする課題】
この場合，上記押圧回転の対象となる室内側サムターンがないことになるから，不正開錠は確実に防止し得るが，室内側からの施開錠にキー操作を必要とすることによって，キーの紛失，施開錠の煩雑化，緊急時避難の障害となる可能性を残すとともに室内側からのキー操作を可能とする機構具備によるコストアップも想定され，このため室内側にサムターンを残存具備することによって錠前の使い勝手を良好に維持しつつその不正開錠を防止することが望まれる。
【０００５】
本発明はかかる事情に鑑みてなされたもので，その解決手段とするところは，可及的簡易且つ確実に室外側におけるサムターンの摘み操作を防止し得る防犯用サムターンを有する錠前を提供するにある。
【０００６】
【課題を解決するための手段】
上記課題に添って本発明は，上記不正開錠が，一般にサムターンの摘みに対してその上下左右いずれかのドア位置に形成した透孔からバー状開錠具を挿入してその先端で上記サムターンの摘みを開錠方向に向けて押圧しサムターンを回転することによってなされるところ，上記いずれかの位置からのバー状開錠具の操作は一方向の押圧に限られることによって，サムターンの摘みを１／４円程度回転するように押圧し得たとしても，１／２円程度を回転するように押圧することはできないことから，サムターンの施開錠を基準位置から１／２円程度の回転操作によるものとするとともにその先行する半分の１／４円程度を空転させ，残りの半分の１／４円程度の回転操作によって施開錠をなし得るようにすることによって，サムターンを従前とおりに残存して錠前の使い勝手を良好に確保しつつもその不正開錠を簡易且つ確実に防止できるようにしたものである。
【０００７】
即ち請求項１に記載の発明は，錠前の室内側サムターンを，その施錠の基準位置から１／２円程度の回転操作によって施開錠自在とするとともに上記基準位置から先行する１／４円程度の回転範囲を空転領域とし，後続の１／４円程度の回転範囲を施開錠領域としてなることを特徴とする防犯用サムターンを有する錠前としたものである。
【０００８】
請求項２に記載の発明は，上記に加えて，サムターンを施錠時にロック部材によって回転不能の状態として高度な防犯性を確保するとともに該ロック部材を，例えば上下にスライドし，前後に起倒する等の可動のものとすることによってその操作性を確保し得るように，これを，上記室内側サムターンを，可動ロック部材によって施錠の基準位置において回転阻止自在としてなることを特徴とする請求項１に記載の防犯用サムターンを有する錠前としたものである。
【０００９】
本発明はこれらをそれぞれ発明の要旨として，上記課題解決の手段としたものである。
【００１０】
なお本発明でサムターンとは錠前の室内側に設置するようにユニット化された室内側施開錠機構を意味するが，その室内側に露出した回転用の摘みを意味することがある。
【００１１】
【発明の実施の形態】
以下図面の例に従って本発明を更に具体的に説明すれば，Ａは，例えば室外側キー操作によって施開錠を行なう，例えば市販のシリンダー箱錠等の錠前（図示省略）用に，その室外側に設置した室内側サムターンであり，該サムターンＡはその摘み１を室内側において回転操作することによって，サムターンＡの先端側伝達軸１３を介して上記箱錠に内蔵したデッドボルト突没用の同じく図示省略の回転軸を正逆方向に回転することによって室内側の施開錠を可能とするものとしてある。
【００１２】
上記室内側サムターンＡは，その施錠の基準位置から１／２円程度の回転操作によって施開錠自在とするとともに上記基準位置から先行する１／４円程度の回転範囲を空転領域Ｆとし，後続する１／４円程度の回転範囲を施開錠領域Ｒとしたものとしてあり，これによって，例えば図１の例に示すように，サムターンＡ，即ちその摘み１による室内側の施開錠を，施錠の基準位置から空転及び施開錠領域Ｆ及びＲの各１／４円程度の都合１／２円程度を回転して行うものとし，また施錠の基準位置にあるサムターンＡの摘み１をその上下左右いずれか一方向から押圧しても，サムターンＡは，先行する１／４円程度の空転領域Ｆにおいて空転することによってこれを受け流す一方，更に後続する１／４円程度の施開錠領域Ｒの回転をしない限り開錠が不能となるようにして，サムターンＡの摘み１を一方向に押圧する室外側からバー状開錠具を用いた不正開錠を防止し得るようにしてある。
【００１３】
１／２円程度の回転操作による施開錠とその半分の各１／４円程度の空転領域Ｆの空転及び施開錠領域Ｒの施開錠は，摘み１の回転に応じて，室内側サムターンＡと上記箱錠のデッドボルト突没用の回転軸との間で，空転領域Ｆをなすフリーの関係と施開錠領域Ｒをなす係合の関係が生じるように，サムターンＡの摘み１の回転位置に応じて相互に切り替え自在とするとともにこの切り替えをサムターンＡの回転方向にその基準位置から１／４円程度を回転した位置において行なうようにする一方，サムターンＡを施錠した基準位置，即ち摘み１の垂直位置又は水平位置を基準にして上記空転領域Ｆのフリーの関係を基準位置側に先行し，施開錠領域Ｒの係合の関係を後続するように，これらを摘み１における施錠の基準位置からその回転方向に先行と後続の配置関係とすればよい。
【００１４】
図２，図３は，上記フリーと係合の関係を可能とするサムターンＡの構造例を示したもので，図２のサムターンＡは，摘み１側のインナー軸３と，その先端側，即ち上記デッドボルト突没用の回転軸側のアウター軸８と，上記インナー軸３に設置して施錠方向に付勢しサムターンＡの施錠位置でインナー軸３から外側に巻き方向一端の腕７を突出したコイルスプリング６と，上記アウター軸８に透設し上記摘み１の施錠位置からその軸廻り方向に１／４円程度の長さを有して上記コイルスプリング６の腕７を受入れるスリット９と，上記アウター軸８に固定して，デッドボルト突没用の回転軸にアウター軸８の回転を伝える伝動軸１３と備えて構成し，上記インナー軸３をアウター軸８に回転自在に嵌合挿入するとともにインナー軸３に設置した上記コイルスプリング６の腕７を該アウター軸８のスリット９にその長手方向に移動自在に挿入し，アウター軸８に固定した先端の伝動軸１３によって上記デッドボルト突没用箱状内蔵の回転軸を回転し又は回転不能とするように構成した例である。
【００１５】
このとき錠前の施錠状態でサムターンＡをその摘み１の操作によって開錠方向に先行する１／４円程度の範囲で回転すれば，インナー軸３における上記コイルスプリング６の腕７がアウター軸８における上記１／４円程度の長さを持つスリット９の中間位置にあって該スリット９の移動可能区間にあるとき，上記アウター軸８とデッドボルト突没用の回転軸との関係を空転領域Ｆをなすフリーの関係として上記摘み１を空転するようにし，更に上記１／４円程度を超えて摘み１を回転して後続の１／４円程度に至るようにすれば，上記コイルスプリング６の腕７が上記先行する１／４円程度の長さを超えることによって上記スリット９の長手方向端部に当り，これに引掛け状に係合することによって，アウター軸８とデッドボルト突没用の回転軸との関係を施開錠領域Ｒの係合の関係として上記摘み１操作に応じて箱錠の施開錠がなされるようにしてある。
【００１６】
従ってこの場合，サムターンＡの摘み１を１／２円程度を回転することによって始めて施錠状態から開錠し，また開錠状態から施錠することが可能となるようにでき，これによって施錠状態にあるサムターンＡの摘み１を上記バー状開錠具によって一方向から押圧して不正に開錠しようとしても，摘み１は一方向に向けた押圧力を受けて１／４円程度の回転を行なうが，この１／４円程度の回転は，上記コイルスプリング６の腕７がアウター軸８のスリット９の移動可能区間にある空転領域Ｆ部分であるから摘み１は回転するも空転して施開錠を行なうことができず，一方摘み１を一方向から更に押圧して回転しようとしても，摘み１は，これに加えられる押圧力の方向と一致する向きに回転しているから，押圧力を摘み１に更に継続して与えることができず，従って先行の空転領域Ｆを超えて更に１／４円程度の後続の施開錠領域Ｒに至る程度に摘み１を回転することは不可能となり，上記バー状開錠具の摘み１押圧による不正開錠が阻止され，防犯用としたサムターンＡを得られる。このとき本例にあっては上記コイルスプリング６を用いたことによって摘み１の施錠状態からの回転に伴ってこれが順次付勢され，摘み１に対して施錠方向に対してスプリングバック範囲Ｓの付勢力が作用し，その結果サムターンＡの施錠のための摘み１の回転操作を容易化するとともに上記バー状開錠具の押圧に対して施錠方向に復帰する抵抗力を発揮することになり，該バー状開錠具の開錠操作を一層困難にしてその開錠阻止を更に有効にすることができる。
【００１７】
またシリンダー箱錠等錠前における室外側施開錠のキー操作は，一般にキーをその施錠の基準位置から１／４円程度回転して行なうものとされるところ，サムターンＡは先行する１／４円程度の空転領域Ｆを有することによって，上記キー操作はその空転領域Ｆ範囲の回転となるから，キー操作によってサムターンＡが連動して連れ回りすることがなく，従ってサムターンＡの施錠状態，即ち摘み１の基準位置のまま，これを回転することなくキー操作によって室外側から開錠することが可能となり，本例のサムターンＡの設置によって室外側のキー操作が影響を受けることもない。
【００１８】
また本例にあって上記コイルスプリング６は，その巻き方向両端の腕７の突出方向を１／４円程度変位したものを用い，該両端の腕７をインナー軸３の長手方向２箇所にして軸方向に変位した位置から突出するとともにスリット９をアウター軸８の長手方向２箇所としてそれぞれ軸方向に逆向きの位置としたことによって，摘み１を，上記施錠位置からその左右双方向に向けて回転自在とするとともに該左右双方の各回転に応じた上記フリーの関係による空転領域Ｆ及び係合の関係による施開錠領域Ｒが左右対称状に形成され，これによってサムターンＡの摘み１が，上記図１の例に示すように，その左右双方向にそれぞれ１／２円程度の回転操作とそのいずれの方向にも先行する空転領域Ｆと後続の施開錠領域Ｒが存在したものとすることができる。
【００１９】
図１において２はインナー軸３の室内端に設置した目隠しプレート，４はインナー軸３に透設したコイルスプリング６の装着溝，５はインナー軸３に設置し，アウター軸８のロックピン挿入孔１０から挿入したロックピン１１を受入れてアウター軸８からの抜止めを行なうロックピン受孔，１２は伝動軸１３の回転軸への係合用リブを受入れるアウター軸８の受入溝を示す。
【００２０】
一方図３の例は，上記図２における摘み１側のインナー軸３に代えて，ソリッド軸１４を用いるとともにその長手方向中間位置に上記と同様なコイルスプリング６と上記アウター軸８に回転自在のカム部材１６をそれぞれ設置し，該カム部材１６に１／４円程度の切欠き部１７を配置し，上記コイルスプリング６の巻き方向先端の腕７を該切欠き部１７を介してアウター軸８のスリット９に挿入してサムターンＡを形成した例であり，上記と同様に図１の回転操作とその作用を行なうものとしてあり，このとき上記ソリッド軸１４の先端側にロックピン受孔５を設置し，アウター軸８のロックピン挿入孔１０からのロックピン１１を受入れることによってソリッド軸１４とアウター軸８の抜止めを行なうようにした点，ワッシャー１８をソリッド軸１４に設置してアウター軸８とカム部材１６間に介設するようにした点を除いて，その余の構成及びサムターンＡの作用効果は上記図２の例と基本的に変らないので同一符合を付してその説明を省略する。
【００２１】
図４及び図５は，上記室内側サムターンＡを，可動ロック部材２０によって少なくとも施錠の基準位置において回転阻止自在とした例であり，このうち図４は，上記可動ロック部材２０を摘み１に対してスライドする構造によって可動するようにした例を示し，本例の可動ロック部材２０は，これを，ドア室内側表面とサムターンＡの摘み１間に配置した上下方向のガイド基板２１と，該ガイド基板２１の案内によってその所定範囲で上下にスライドし，幅方向中間にサムターンＡの摘み１を受入れる受入溝２２を配置したロック用スライダー２３とを備えたものとし，サムターンＡの摘み１が施錠の基準位置にあるとき，該ロック用スライダー２３を降下して，摘み１を受入溝２２に受入れることによってそのロックを行ない，該ロックによって摘み１の回転可能性をなくして，その防犯性を更に高度なものとした例である。
【００２２】
このとき上記のようにサムターンＡの施錠状態のまま摘みを回転することなく室外側のキー操作が可能であるから，外出時に，例えばドアの半開き状態で摘み１の回転操作してサムターンＡの施錠を行うとともに上記可動ロック部材２０によって該サムターンＡの回転阻止を行い，室外側のキー操作によって開錠操作を行ってデッドボルトを没入してドアを閉成し，再度キー操作によって施錠を行うようにすれば，外出時にサムターンＡの可動ロック部材２０によるロック状態の施錠が可能となる。
【００２３】
図中２４はガイド基板２１に隆起してスライダー２３降下の下限位置を画するストッパー，２５はスライダー２３を定位置に維持するロックキーを示す。
【００２４】
また図５は，上記可動ロック部材２０を前後起倒構造によって可動とした例であり，本例の可動ロック部材２０は，同じくドア室内側表面とサムターン１間に配置した上下方向のベース基板２６と，該ベース基板２６の上部に軸支することによって前後に起倒自在とし面内に十字状の受入溝２２を配置した側面Ｌ字状のロック用起倒プレート２７とを備えたものとしてあり，受入溝２２を上記十字状とすることによって可動ロック部材２０を常時転倒の状態として，施常時にこれを起立し，その施錠の基準位置にあるサムターン１を受入れるように転倒して，そのロックを行い，同様に該ロックによってサムターン１の回転可能性をなくして，その防犯性を更に高度なものとすることができ，更に図４の例と同様に，外出時にサムターンＡの可動ロック部材２０によるロック状態での室外側施錠をなし得るものとなる。
【００２５】
図中２８はベース基板２６に設置したラッチボックス，２９は該ラッチボックス２８の受入れ窓，３０はその左右にスライドする固定ラッチバー，３１はそのロックキー，３２は上記起倒プレート２７に設置し，上記受入れ窓２９に挿入して固定ラッチバー３０とともにラッチを構成するラッチ突起を示す。
【００２６】
図示した例は以上のとおりとしたが，本発明の実施に当って，錠前，サムターン，サムターンの空転領域及び施開錠領域を設定する機構，必要に応じて使用する可動ロック部材の各具体的構造，形状，材質，これらの関係，これらに対する付加等は，上記発明の要旨に反しない限り様々な形態のものとすることができる。
【００２７】
【発明の効果】
本発明は以上のとおりに構成したから，請求項１に記載の発明は，サムターンの施開錠を基準位置から１／２円程度の回転操作によるものとするとともにその先行する半分の１／４円程度を空転させ，残りの半分の１／４円程度の回転操作によって施開錠をなし得るようにすることによって，サムターンを残存し錠前の使い勝手を良好に確保しつつもその不正開錠を可及的簡易且つ確実に防止し得る防犯用サムターンを有する錠前を提供することができ，このとき室外側のキー操作による施開錠に影響を与えることもない。
【００２８】
請求項２に記載の発明は，上記に加えて，サムターンを少なくとも施錠時にロック部材によって回転不能の状態として高度な防犯性を確保するとともに該ロック部材の操作性を確保したものとすることができ，更に外出時にもサムターンの可動ロック部材によるロック状態のままの室外側施開錠を行うことができる。
【図面の簡単な説明】
【図１】サムターンの回転による空転領域及び施開錠領域の例を示す概念図である。
【図２】サムターンの分解斜視図である。
【図３】他の例に係るサムターンの分解斜視図である。
【図４】サムターンと可動ロック部材との関係を示す斜視図である。
【図５】他の例に係るサムターンと可動ロック部材との関係を示す斜視図である。
【符号の説明】
Ａ  サムターン
Ｆ  空転領域
Ｒ  施開錠領域
Ｓ  付勢範囲
１  摘み
３  インナー軸
６  コイルスプリング
８  アウター軸
９  スリット
１３  伝動軸
２０  可動ロック部材
２３  スライダー
２７  起倒プレート
【図１】
2004197470.tif 000003
【図２】
2004197470.tif 000004
【図３】
2004197470.tif 000005
【図４】
2004197470.tif 000006
【図５】
2004197470.tif 000007